(57)【要約】本発明は、それぞれが前部基板（４）と後部基板（５）との間に挟まれた液晶層（２）を有する複数の画素（１）、バックライト（１０）、上記後部基板（５）と上記バックライト（１０）との間に配された半透明反射エレメント（７）、前部偏光子（６）、及び液晶層（２）の光学特性を制御するための駆動装置（３）を有し、上記画素が反射画素部（１ａ）と透過画素部（１ｂ）とに副分割される反射透過型液晶表示装置に関する。本発明によれば、コレステリック層組成物（１１，１２）が上記液晶層（２）と上記後部基板（５）との間に配され、上記コレステリック層組成物が、上記反射画素部（１ａ）に、画素の所望の原色を反射するための第１のコレステリック層組成物部（１１）、及び上記透過画素部（１ｂ）に、上記画素の所望の原色以外の他の残りの原色を反射する第２のコレステリック層組成物部（１２）を有する。
2005534989.tif 000002
【特許請求の範囲】
【請求項１】
それぞれが前部基板と後部基板との間に挟まれた液晶層を有する複数の画素、バックライト、前記後部基板と前記バックライトとの間に配された半透明反射エレメント、前部偏光子、及び液晶層の光学特性を制御するための駆動装置を有する反射透過型液晶表示装置であって、前記画素が反射画素部と透過画素部とに副分割され、
−  コレステリック層組成物が前記液晶層と前記後部基板との間に配され、
前記コレステリック層組成物が、
−  前記反射画素部に、画素の所望の原色を反射するための第１のコレステリック層組成物部、及び
−  前記透過画素部に、前記画素の所望の原色以外の他の残りの原色を反射する第２のコレステリック層組成物部、
を有する、反射透過型液晶表示装置。
【請求項２】
前記第２のコレステリック層組成物部は第１及び第２の層を有し、前記第１の層は第１の残りの原色の光を反射し、前記第２の層は第２の残りの原色の光を反射する請求項１の反射透過型液晶表示装置。
【請求項３】
前記画素は前記液晶層と前記コレステリックカラーフィルタ組成物との間に吸収カラーフィルタを更に有し、
前記吸収カラーフィルタは前記残りの原色を吸収し画素の所望の原色のみを透過する請求項１又は２の反射透過型液晶表示装置。
【請求項４】
前記画素はインセル１／４波長リターダプレートとインセル偏光子とを有し、両方とも前記液晶層と前記コレステリック層組成物との間に配されている請求項１乃至３のうちのいずれか１項の反射透過型液晶表示装置。
【請求項５】
吸収層が反射画素部において前記第１のコレステリック層組成物部と前記後部基板との間に配されている請求項１乃至４のうちのいずれか１項の反射透過型液晶表示装置。
【請求項６】
ミラーエレメントは、前記吸収層と前記後部基板との間に配されている請求項５の反射透過型液晶表示装置。
【請求項７】
前記液晶層は、リターディングλ／２プレートとして作用する請求項１乃至６のうちのいずれか１項の反射透過型液晶表示装置。
【請求項８】
前記半透明反射エレメントは、反射型円偏光子によって構成される請求項１乃至７のうちのいずれか１項の反射透過型液晶表示装置。
【請求項９】
前記駆動装置は、アクティブマトリックス駆動装置及びパッシブマトリックス駆動装置のうちの１つである請求項１乃至８のうちのいずれか１項の反射透過型液晶表示装置。
【請求項１０】
前記第１及び第２のコレステリック層組成物部は、本質的に同じセルギャップを占有する請求項１乃至９のうちのいずれか１項の反射透過型液晶表示装置。
【発明の詳細な説明】
【技術分野】
【０００１】
本発明は、それぞれが前部基板と後部基板との間に挟まれた液晶層を有する複数の画素、バックライト、上記後部基板と上記バックライトとの間に配された半透明反射エレメント、前部偏光子、及び液晶層の光学特性を制御するための駆動装置を有し、上記画素が反射画素部と透過画素部とに副分割される反射透過型液晶表示装置に関する。
【背景技術】
【０００２】
その低い電力消費、信頼性及び安価のため、液晶ディスプレイ即ちＬＣＤは、多くのアプリケーション（例えば、ＰＤＡ、ラップトップ及び移動電話のようなモバイルアプリケーション）に対して標準ディスプレイに選択されるものになっている。異なるＬＣＤタイプ（例えば、パッシブ又はアクティブマトリックスディスプレイ、及び反射又は透過ディスプレイ）が、現在市場で利用可能である。反射ＬＣＤは、直射日光の野外使用に特に適している。しかしながら、斯かるディスプレイのコントラスト比は透過ディスプレイと比較して相対的に低く、劣悪な照明条件下ではこの種類のディスプレイの輝度は低い。一方、透過ＬＣＤは良好なコントラスト比を有するが、直射日光の照明条件下ではほとんど読むことができなくなる。さらに、透過ディスプレイはバックライトを利用し、電力消費の増大をもたらす。
【０００３】
この理由により、透過特性と反射特性との両方を有する反射透過型ディスプレイが開発されている。先ず、斯かるディスプレイの大部分は、画素の後ろに反射透過型の半透明ミラー部材を有し、これによって全画素は反射透過ユニットを構成する。しかし、最近、各画素が反射画素部と透過画素部とを有し従って反射透過動作を達成する反射透過型ディスプレイが開発されている。斯かるディスプレイの一例が、論文「外部光の如何なる強度条件においても良好な可読性を伴なう高性能ＴＦＴの開発  Ｍａｓｕｍｉ  Ｋｕｂｏ他；シャープ社（ＩＤＷ  ９９）」に開示されている。この論文は、各画素が反射構造と透過構造とを有するディスプレイを開示している。しかしながら、この構造はかなり複雑であり、斯かるディスプレイセルを製造するために、複数のマスク工程が必要であり、従ってこのディスプレイは製造にかなり費用がかかる。さらに、この構造は通常の反射ＬＣＤディスプレイよりも多くのリタデーションフィルムを必要とし、従って生産が高価になることがある。
【発明の開示】
【発明が解決しようとする課題】
【０００４】
それ故に、本発明の目的は、別の構成を有し従来の欠点のうちの少なくとも幾つかを克服する反射透過型液晶表示装置を実現することにある。
【課題を解決するための手段】
【０００５】
上記の及び他の目的は、導入部において記載される反射透過型液晶表示装置であって、第１のコレステリック層組成物が上記液晶層と上記後部基板との間に配され、上記コレステリック組成物は、上記反射画素部に、画素の所望の原色を反射するための第１のコレステリック層組成物部、及び上記透過画素部に、上記画素の所望の原色以外の他の残りの原色を反射する第２のコレステリック層組成物部、を有する。反射透過型ディスプレイにおいてこのようにコレステリックカラーフィルタを使用することによって、単一ギャップコンフィギュレーションを使用することができる。更に、スタックには１つのリタデーションフィルムのみが必要なだけである。この解決策は駆動手段のコンフィギュレーションとは独立であり、それ故に透過モード及び反射モードにおいて反転画像はない。更に、このコンフィギュレーションは、透過モードと反射モードとの両方で、光の最適効率を確かなものにする。更に、この解決策は、透過モードにおいて光をリサイクルすることができ、これはバックライトの効率を更に増加させる。
【０００６】
適切には、上記第２のコレステリック層組成物部は第１及び第２の層を有し、上記第１の層は第１の残りの原色の光を反射し、上記第２の層は第２の残りの原色の光を反射する。斯かる構造は、比較的製造が容易であるという利点を有する。それは、ディスプレイ構造の全体に渡って、即ち、画素の反射部と透過部との両方に、２つのコレステリック製造層を設け、各層を個別にパターニングすることによって、製造される。先ず、第１の層がこの構造に設けられ、この層は、フォトマスクを通じたカラーフォーメーションによってパターニングされ、このため、この層は、画素の反射部において画素の所望の原色を、透過部において第１の残りの原色を、反射するようにパターニングされる。続いて、第２のコレステリック製造層が第１の層上に設けられ、この層は、フォトマスクを通じたカラーフォーメーションによってパターニングされ、このため、この層は、画素の反射部において画素の所望の原色を、透過部において第２の残りの原色を、反射するようにパターニングされる。総合して、上記のものはコレステリック層組成物を構成する。それ故に、反射部が「緑」のような所望の原色を反射する複合コレステリック層構造を有し（製造によって、この場合の反射部は、ともに「緑」を反射する２つの層を有する）、透過部が各層がそれぞれ特定の残りの原色（例えば、「青」及び「赤」）を反射する層状構造を有する構造が達成される。これは、幾つかの波長インターバルを反射するための反射層を達成する比較的簡単な方法である。
【０００７】
本発明の好適実施例によれば、上記画素は上記液晶層と上記コレステリックカラーフィルタ組成物との間に吸収カラーフィルタを更に有し、上記吸収カラーフィルタは入ってくる外部光の望ましくない色を吸収する。斯かる層を含むことによって、望ましくない色を有する外部光のコレステリック層組成物での反射を、ディスプレイの「白」状態と「黒」状態との両方で防止することができる。
【０００８】
本発明の第２の好適実施例によれば、上記画素はインセル１／４波長リターダプレートとインセル偏光子とを有し、両方とも上記液晶層と上記コレステリック層組成物との間に配される。これは、反射モード及び透過モードの黒状態を向上させる。また、上記の２つの好適実施例は組み合わせることができ、これによって、上記の利点の全てが達成される。
【０００９】
更に、吸収層が反射画素部において上記第１のコレステリック層組成物部と上記後部基板との間に配される。これによって、反射部のコレステリック層によって反射されていない全ての入射光が吸収される。バックライトにより発生する光は、ディスプレイの反射部のコレステリック層に入射する前に吸収され、それ故に画素部の色純度は低下しない。それ故に、上記のように、表示装置が１／４リターダ、偏光子、及び吸収カラーフィルタを有する場合、この場合は全ての望ましくない光が吸収カラーフィルタ又は偏光子によって既に吸収されているので、斯かる吸収層を含むことは必要としない。好ましくは、ミラーエレメントは、上記吸収層と上記後部基板との間に配される。これによって、バックライトによって発せられる光は、反射してバックライトに戻り、それ故にリサイクルされ、バックライトの効率が向上する。
【００１０】
適切には、液晶層は（右又は左）回り円偏光を変化させるλ／２プレートとして作用する。液晶層は任意の通常のタイプのものでよい。特に、ツイストネマティック（ＴＮ）、スーパーツイストネマティック（ＳＴＮ）、強誘電性（ＦＬＣ）、電気的補償複屈折（electrically compensated birefringence）（ＥＣＢ）、及び垂直配向ネマティック（ＶＡＮ）の液晶コンフィギュレーションを使用することができる。
【００１１】
更に、反射層は後部基板の後ろ側に適切に配され、この反射層は反射型円偏光子である。また、上記駆動装置は、アクティブマトリックス駆動装置及びパッシブマトリックス駆動装置のうちの１つであり、従って本発明の解決策は非常にフレキシブルである。
【００１２】
最後に、上記第１及び第２のコレステリック層組成物部は、本質的に同じセルギャップを占有し、これは、上に示したようなフォトマスクフォーメーションによる容易な製造を可能にする。
【００１３】
本発明の好適実施例は、添付図面を基準にして以下に記載される。
【発明を実施するための最良の形態】
【００１４】
本発明のメイン実施例及び本発明の最も単純な実現例が、以下に図１−図４を基準にして詳細に記載されている。表示装置は、以下に表示装置の単一画素（本例では緑の画素）を基準にして記載されている。しかしながら、フルカラーディスプレイを生成する目的で、表示装置は、複数の画素、例えば、緑、赤及び青の複数の画素を有する場合もある。本発明は、任意の色の画素に等しく利用可能であり、赤及び青の画素に対して、例えば、コレステリックカラーフィルタ、及び任意のカラーフィルタの色は、以下の記載に対して、反射モード及び透過モードにおいて、画素が本例のような緑の代わりにそれぞれ赤又は青であるように、変えられる。また、赤、緑及び青の原色の選択は本発明に本質的なことではないが、協働してフルカラースペクトルを規定する任意の色の組合せを使用することができる。
【００１５】
本発明によるコレステリックカラーフィルタを伴なう反射透過型液晶装置（ＬＣＤ）の単一画素１のデザインの断面が図１に開示されている。画素１は液晶（ＬＣ）層２を本質的に有し、それはＴＦＴ層３によって制御される。ディスプレイの観測者から見てＬＣ層２の後ろに、コレステリック層組成物１１、１２が配されている。この層は以下に詳細に記載される。ＬＣ層２とコレステリック層組成物１１、１２とを有するスタックは、前部基板及び後部基板４、５に挟まれている。後部基板の後ろに、反射型円偏光子７が配されている。前部基板４の前には、直線偏光子６及びλ／４リターダ８が配されており、このリターダ８は偏光子６及び前部基板４の背後に配されている。上記の構成要素の全てを有するスタックの後ろに、バックライト９が配されている。画素１は、２つの部分、反射画素部１ａ及び透過画素部１ｂに更に副分割される。この副分割は、ディスプレイの反射部及び透過部のコレステリック層組成物を変えることによって作られる。
【００１６】
画素の反射部１ａでは、層組成物は第１のコレステリック層組成物部１１を有し、本例では、緑の色（即ち、画素の所望の原色）の光を反射する。第１のコレステリック層組成物部１１と後部基板との間には、吸収層９（例えば、ブラックレイヤ）が配されている。更に、ディスプレイの反射部には、バックライトから発せられる光の吸収層９による吸収を避けることによってバックライト光の光リサイクルを向上させる目的で、吸収層９と後部基板５との間にミラーエレメント１４を配することができる。
【００１７】
画素の透過部において、コレステリック層組成物は第２のコレステリック層組成物部１２を有し、それは２つの副層に副分割され、１つは青の光を反射するためのものであり、１つは赤の光を反射するためのものである（即ち、（画素の所望の色である緑以外の）画素の残りの原色）。両方の副層は、実質的に透過画素部全体に渡って並列に延在している。既知の技術では、コレステリックカラーフィルタを製造することは比較的容易であり、それは本発明のように幾つかの部分に副分割される。それは、ディスプレイ構造全体に渡って、即ち、画素の反射部と透過部との両方に、２つのコレステリック製造層を備え、各層を個別にパターンニングすることによって製造することができる。先ず、フォトマスクを通じたカラーフォーメーション（colour formation）によってパターンニングされる第１の層がその構造に備えられ、そして、その層は画素の反射部で画素の所望の原色を反射し透過部で第１の残りの原色を反射するためにパターンニングされる。続いて、フォトマスクを通じたカラーフォーメーションによってパターンニングされる第２のコレステリック製造層が第１の層上に備えられ、そして、その層は画素の反射部で画素の所望の原色を反射し透過部で第２の残りの原色を反射するためにパターンニングされる。総合して、上記のものはコレステリック層組成物を構成する。それ故に、反射部が「緑」のような所望の原色を反射する複合コレステリック層構造を有し（製造によって、この場合の反射部は、ともに「緑」を反射する２つの層を有する）、透過部が各層がそれぞれ特定の残りの原色（例えば、「青」及び「赤」）を反射する層状構造を有する構造が達成される。
【００１８】
上記の表示装置の作動の原理は、図２−４を基準にして以下に詳細に記載される。
【００１９】
反射透過型画素の反射画素部１ａは、コレステリックカラーフィルタを伴なう反射ＬＣＤ用の通常の構造を有する。図２には、図２の左に示されているように画素部が「白」状態のとき（即ち、緑の色を反射する）と図２の右に示されているように画素部が「黒」状態のときとの両方について、表示画素１に入射する偏向光の経路が示されている。第１のコレステリック層組成物部１１は、この例では、緑の左回り偏光を反射する。直線偏光子６及びλ／４プレート８は、右回り円偏光が発生するように組み合わされている。液晶層２は、（図２の左に示されているように）１つのスイッチング位置においてλ／２プレートとして作用し、右回り円偏光を左回り偏光に変更する。続いて、光はコレステリックカラーフィルタに到達し、左回りの緑の光は反射し、一方、残りの光は第１のコレステリック層組成物部１１を透過し吸収層９によって吸収される。反射した緑の左回り偏光は、液晶層２を通過するときに右回り偏光に再び変更され、続いてλ／４プレート８及び線形偏光子６を通過する。液晶層２が制御層３（ＴＦＴ層）によって切り替えられると、ＬＣ層２のリタデーションがゼロに切り替えられ（図２の右部）、その層に落ちてくる右回り偏光は変化しない。それ故に、右回り偏光がコレステリック層１１を通過し、吸収層９によって吸収される。このようにして、画素は「黒」になる。
【００２０】
画素の透過画素部１ｂは、コレステリックカラーフィルタを伴なう透過ＬＣＤの構成を有する。反射型円偏光子７は、本例では、右回り反射型円偏光子であり、バックライトからの右回り円偏光を反射し、左回り円偏光を透過する。反射した右回り偏光は、バックライトでリサイクルすることができる。赤及び青の反射コレステリック副層１２ａ、１２ｂは、それぞれ赤及び青の左回り偏光した日光を反射し、緑の左回り偏光した日光は、第２のコレステリック層組成物部１２を通過する（図４の左部参照）。緑の左回りの偏光した日光は、バックライトでリサイクルされ、一方、反射した青及び赤の左回り偏光した日光は画素の色純度を低減させる。
【００２１】
画素の黒状態において（図４の右部参照）、液晶層が切り替えられると、バックライトからの緑の右周りの透過光は変化せずに上部偏光子によって吸収される。緑、赤及び青の右回り日光（即ち、白の右回り日光）も液晶層２によって変化せず、それは全てコレステリック層を通過する。しかしながら、この右回り白色光は反射型偏光子７によって反射し、観測者に戻り、黒の状態をいくらか低減する。透過モードにおけるディスプレイの透過部の光ビームパターンが、図３にそれぞれ「白」（左）状態及び「黒」（右）状態において表されている。
【００２２】
本発明の第１の別の実施例は、以下に図５−７を基準にして記載される。この実施例は図１に表され上に詳細に記載されたものと本質的には同じであるが、本例では液晶層２とコレステリック層１１、１２との間に配された吸収カラーフィルタ１３を更に含んでいる。吸収カラーフィルタは、画素の所望の原色（本例では緑色）を除いて全ての色を吸収する。
【００２３】
上記の実施例では、図１に関して、ディスプレイに落ちてくる光が、偏光子６とλ／４プレート８とによって右回り偏光に変化する。この落ちてくる光はＬＣ層２によって左回り偏光に変化し、従って透過部１ｂの第２のコレステリック層組成物部１２は、この光を反射し、一方、緑の左回り円偏光は第２のコレステリック層組成物部１２及び反射偏光子７を通過し、バックライトでリサイクルされる。反射した赤及び青の左回り円偏光は液晶層２によって右回りの光に変化し、それはλ／４プレート８及び直線偏光子６を透過する。このようにして、バックライトからの緑の透過光は、赤及び青の反射外部光に混合され、それは画素の透過部の色純度を低下させる。これは、上記の吸収カラーフィルタ１３をそのスタックに加えることによって防止できる。それは、この層がディスプレイの透過部に落ちてくる全ての赤及び青の外部光を吸収するからであり、それ故にこの光は画素の色に加わらないからである。
【００２４】
吸収カラーフィルタを含むことは、透過モードにおいて日光による色混合を防止する。それ故に、それは日光コントラストを向上させ、コレステリックカラーフィルタ１２の赤及び青の層での日光の反射による色純度の減少を防止する。それは、大きい視野角におけるディスプレイのカラーシフトも防止する。大きい角度で反射する全ての光は、本発明のコレステリックカラーフィルタによって短波長にシフトされる。それ故に、この光は、吸収カラーフィルタによって吸収される。この実施例に対する詳細な光ビームパターンは、図６（透過モードのディスプレイの透過部）及び図７（反射モードのディスプレイの反射部）に表されている。
【００２５】
第２の他の実施例が図８−１０を基準にして以下に記載されている。この実施例は、図１に開示され且つ上に詳細に記載されたものと本質的に似ているが、液晶層２とコレステリック層組成物１１、１２との間にインセル（in-cell）λ／４フィルム１５及びインセル（in-cell）偏光子１６を更に含んでおり、更に、図１に示される構造のλ／４フィルム８が取り除かれている。この実施例によって、図１０に示すように、画素１の透過部１ｂの黒の状態での白色日光の反射を消去することができる。この実施例では、透過モードにおいて、円偏光がλ／４フィルム１５によって直線偏光に変えられ、インセル偏光子１６を通過する。上部偏光子６はインセル偏光子１６に対して９０°回転されている、即ち、偏光子６、１６は交差している。λ／２プレートとして作用する液晶層２は、偏光面を９０°回転させ、光は上部偏光子を通過する。ＬＣ層が切り替えられると、偏光面は上記のやり方において変化はせず、それ故に光は上部偏光子によって吸収される（図１０参照）。更に、駆動された状態において、全ての直線偏光された日光は、画素の反射部及び透過部に対して、それぞれ図９及び図１０に示すように、インセル偏光子１６によって吸収される。画素の反射部の黒の状態において（図９参照）、全ての線形偏光はインセル偏光子によって吸収される。
【００２６】
本発明の第３の別の実施例は第１及び第２の別の実施例を組み合わせたものであり、それ故に、吸収カラーフィルタ、インセルλ／４フィルム１５及びインセル偏光子１６を図１に示すスタックに加え、一方、（上記の理由によって必要の無い）前部λ／４フィルム８及び適宜に吸収層９も取り除かれたものである（図１１において吸収層９は取り除かれている）。この実施例は、図１２（反射モードの反射画素部）及び図１３（透過モードの透過画素部）の対応するビームパターンとともに図１１に開示されている。この場合、吸収カラーフィルタ又は偏光子によって、外部光の望ましくない全ての反射が吸収される。
【００２７】
上記の例は全てアクティブマトリックス反射透過型ＬＣＤを開示しているけれども、本発明はパッシブマトリックス反射透過型ＬＣＤに等しく適用可能であることに注意すべきである。この場合、ＴＦＴ層３（例えば、図１に開示されている）は電極層（例えば、ＩＴＯ電極）に置き換えられ、吸収カラーフィルタが画素スタックに配される場合、それは前部基板とＩＴＯ層との間に置くことができる。更に、いくつかの形式でコレステリック層を用いた先行技術の反射透過型ＬＣＤに関する問題は、それらが透過モード及び反射モードで、反転画像を通常示すということである。しかしながら、ここに開示されたディスプレイはそうではない。画素が駆動されるとき、ディスプレイは透過モードと反射モードとの両方で黒である。画素の非駆動状態では、ディスプレイは透過モード及び反射モードにおいて「白」（上の場合には、緑）である。
【００２８】
ここに開示された画素では（例えば図１において）、画素の透過部及び反射部１ａ、１ｂは等しいサイズであることにも注意されたい。しかしながら、実際のディスプレイでは、反射部は、ディスプレイの透過部よりも通常大きい。これは、反射モードの緑（「白」）状態における青の光と赤の光との混合、並びに反射及び透過モードの黒状態における白色光の付加が、より小さい反射領域によって、幾分減少することをもたらす。
【００２９】
また、例示的な目的のため、本発明の上記の記載は、左回り円偏光が反射するディスプレイが意図されている。しかしながら、当業者は、その代わりに、上記の発明の構造を右回り円偏光を反射するのに適合させることができる。
【００３０】
更に、上記のように、上のディスプレイ装置はディスプレイ装置の単一画素（本例では緑の画素）を基準にして記載されている。しかしながら、ディスプレイ装置は、フルカラーディスプレイを生成するために、複数の画素、例えば、緑、赤及び青の複数の画素を有することができる。本発明は、任意の色の画素に等しく利用可能であり、赤及び青の画素に対して、例えば、コレステリックカラーフィルタ、及び任意のカラーフィルタの色は、以下の記載に関して、反射モード及び透過モードにおいて、画素が本例のような緑の代わりにそれぞれ赤又は青であるように、変えられる。それ故に、各画素は１つの原色の光を発し、一方、残りの原色の光を低減するように設計されるだろう。画素の色はフルカラースペクトラムを規定する任意の方法で選択することができ、赤、緑、及び青には限定されないことにも注意されたい。
【００３１】
この出願では、波長という用語は、波長又は波長インターバル（wave interval）として解釈されることにも注意されたい。更に、この出願において使用されている「色」は、波長又は波長インターバルを含むように解釈される。
【図面の簡単な説明】
【００３２】
【図１】本発明による表示装置の画素の断面図を示し、示された画素は、ＲＧＢ反射透過型アクティブマトリックス液晶表示装置の緑の画素である。
【図２】図１に示す画素の反射部の反射モードにおける白及び黒の状態に対する偏向光の光路を示す。
【図３】図１に示す画素の透過部の反射モードにおける白及び黒の状態に対する偏向光の光路を示す。
【図４】図１に示す画素の透過部の透過モードにおける白及び黒の状態に対する偏向光の光路を示す。
【図５】吸収カラーフィルタを更に含む図１に示すような表示装置の第１の別の実施例を示す。
【図６】図５に示す画素の透過部の透過モードにおける白及び黒の状態に対する偏向光の光路を示す。
【図７】図５に示す画素の反射部の反射モードにおける白及び黒の状態に対する偏向光の光路を示す。
【図８】インセル偏光子及び１／４波長リターダを更に含む図１に示すような表示装置の第２の別の実施例を示す。
【図９】図８に示す画素の反射部の反射モードにおける白及び黒の状態に対する偏向光の光路を示す。
【図１０】図８に示す画素の透過部の透過モードにおける白及び黒の状態に対する偏向光の光路を示す。
【図１１】吸収カラーフィルタとインセル偏光子及び１／４波長リターダとの両方を含む図１に示すような表示装置の第３の別の実施例を示す。
【図１２】図１１に示す画素の反射部の反射モードにおける白及び黒の状態に対する偏向光の光路を示す。
【図１３】図１１に示す画素の透過部の透過モードにおける白及び黒の状態に対する偏向光の光路を示す。
【図１】
2005534989.tif 000003
【図２】
2005534989.tif 000004
【図３】
2005534989.tif 000005
【図４】
2005534989.tif 000006
【図５】
2005534989.tif 000007
【図６】
2005534989.tif 000008
【図７】
2005534989.tif 000009
【図８】
2005534989.tif 000010
【図９】
2005534989.tif 000011
【図１０】
2005534989.tif 000012
【図１１】
2005534989.tif 000013
【図１２】
2005534989.tif 000014
【図１３】
2005534989.tif 000015
【国際調査報告】
2005534989.tif 000016
2005534989.tif 000017
2005534989.tif 000018